(57)【要約】【課題】縫合部を目止めテープで防水、防風処理した衣服において、縫合部を目止めしたことによる生地の波打ちや目止めテープの縁との擦れによる生地の劣化や破損が生じにくい衣服を提供することを目的とする。【解決手段】防水若しくは防風のために縫合部１を覆うようにこの縫合部１に沿って目止めテープ２を接着した衣服において、前記目止めテープ２の幅方向端縁部に長さ方向に頂部３と谷部４とが交互に連続した凹凸縁部５を設けた衣服。【選択図】図１
2015048548.tif 000002
【特許請求の範囲】
【請求項１】
防水若しくは防風のために縫合部を覆うようにこの縫合部に沿って目止めテープを接着した衣服において、前記目止めテープの幅方向端縁部に長さ方向に頂部と谷部とが交互に連続した凹凸縁部を設けたことを特徴とする衣服。
【請求項２】
前記目止めテープは、前記凹凸縁部を幅方向の両端縁部に夫々設けたことを特徴とする請求項１記載の衣服。
【請求項３】
曲線的に縫合した曲線状縫合部に、隣接する前記頂部同士の間隔を一方側端縁部では広げ反対側端縁部では狭めるようにして前記目止めテープを湾曲させて、前記曲線状縫合部を覆うように接着したことを特徴とする請求項２記載の衣服。
【請求項４】
前記目止めテープは、前記凹凸縁部の谷部に内側へ切り込んだ切り込み部を設けて、この目止めテープを曲線的に縫合した曲線状縫合部に接着する際に、隣接する前記頂部同士の間隔を広げたり狭めたりし易くして湾曲し易いように構成したことを特徴とする請求項１〜３のいずれか１項に記載の衣服。
【請求項５】
前記凹凸縁部の頂部を、丸みを帯びた曲線形状に形成した構成したことを特徴とする請求項１〜４のいずれか１項に記載の衣服。
【発明の詳細な説明】
【技術分野】
【０００１】
本発明は、防水衣服や防風（防寒）衣服において、縫合部からの水や風（冷気）の侵入を防止するために、この縫合部に沿って目止めテープを接着して、この縫合部を目止めテープで覆って、水や風の侵入防止策が施された衣服に関するものである。
【背景技術】
【０００２】
従来、防水衣服や防風（防寒）衣服は、生地に樹脂フィルムを用いたりコーティング加工を施したりして、防水性或いは防風性（防寒性）の機能を付与しているが、生地と生地とを縫い合わせ連結した縫合部は、前述したような防水、防風処理が難しいため、例えば縫合に使用する縫糸や縫合によって生ずる針穴を通じて水や風が侵入して、防水性、防風性の性能を低下させてしまう問題があった。
【０００３】
そのため、この縫合部から水や風が侵入してこないように、衣服の内側から縫合部を覆うようにして目止めテープを接着し、この目止めテープによって縫合部からの水や風の侵入を防止していた。
【発明の概要】
【発明が解決しようとする課題】
【０００４】
しかしながら、従来の目止めテープは、直線的な縫合部に対しては、縫合部に沿ってきれいに接着することが容易にできるが、曲線的な縫合部に対しては、縫合部に沿ってきれいに接着することが難しく、接着時に目止めテープに皺が生じてしまい、この目止めテープを接着する際に生じる皺の影響を受けて、衣服の縫合部付近に生地の波打ち（パッカリング）が生じてしまい外観を損ねてしまう問題があった。
【０００５】
また、更にこの縫合部に接着した目止めテープの幅方向端縁に生地が接して擦れが生じ、この擦れによって生地が劣化したり破けたりしてしまう問題もあった。
【０００６】
本発明は、このような現状に鑑み、縫合部を目止めテープで防水、防風処理した衣服において、縫合部を目止めしたことによる生地の波打ちや目止めテープの縁との擦れによる生地の劣化や破損が生じにくい衣服を提供することを目的とする。
【課題を解決するための手段】
【０００７】
添付図面を参照して本発明の要旨を説明する。
【０００８】
防水若しくは防風のために縫合部１を覆うようにこの縫合部１に沿って目止めテープ２を接着した衣服において、前記目止めテープ２の幅方向端縁部に長さ方向に頂部３と谷部４とが交互に連続した凹凸縁部５を設けたことを特徴とする衣服に係るものである。
【０００９】
また、前記目止めテープ２は、前記凹凸縁部５を幅方向の両端縁部に夫々設けたことを特徴とする請求項１記載の衣服に係るものである。
【００１０】
また、曲線的に縫合した曲線状縫合部１に、隣接する前記頂部３同士の間隔を一方側端縁部では広げ反対側端縁部では狭めるようにして前記目止めテープ２を湾曲させて、前記曲線状縫合部１を覆うように接着したことを特徴とする請求項２記載の衣服に係るものである。
【００１１】
また、前記目止めテープ２は、前記凹凸縁部５の谷部４に内側へ切り込んだ切り込み部６を設けて、この目止めテープ２を曲線的に縫合した曲線状縫合部１に接着する際に、隣接する前記頂部３同士の間隔を広げたり狭めたりし易くして湾曲し易いように構成したことを特徴とする請求項１〜３のいずれか１項に記載の衣服に係るものである。
【００１２】
また、前記凹凸縁部５の頂部３を、丸みを帯びた曲線形状に形成した構成したことを特徴とする請求項１〜４のいずれか１項に記載の衣服に係るものである。
【発明の効果】
【００１３】
本発明は上述のように構成したから、曲線的に縫合した曲線状縫合部に対しても、目止めテープをこの曲線状縫合部に沿ってきれいに（殆ど皺を生じさせることなく）接着することができ、これにより、この目止めテープを接着した縫合部に生地の波打ちの発生が殆ど生じず、この生地の波打ちによる外観の悪化が低減され、体裁の良い衣服となる。
【００１４】
しかも、この縫合部に接着した目止めテープの幅方向端縁部と生地との接触部分が分散されるから、目止めテープとの擦れによる生地の劣化や破損が低減され、耐久性も向上する実用性に優れた衣服となる。
【００１５】
また、請求項２〜４記載の発明においては、曲線的に縫合した曲線状縫合部に対して、より一層きれいにこの曲線状縫合部に沿って目止めテープを接着することができ、より一層生地の波打ちの発生を低減することができ、より一層外観の悪化を防止することができる衣服となる。
【００１６】
また、請求項５記載の発明においては、縫合部に接着した目止めテープの幅方向端縁部と生地との擦れが一層低減され、これにより生地の劣化や破損が可及的に低減され、耐久性がより一層向上する実用性に優れた衣服となる。
【図面の簡単な説明】
【００１７】
【図１】本実施例を示す正面図である。
【図２】本実施例の目止めテープを示す説明正面図である。
【図３】本実施例の目止めテープの接着方法を示す説明図である。
【図４】本実施例の目止めテープの接着方法を示す説明図である。
【発明を実施するための形態】
【００１８】
好適と考える本発明の実施形態を、図面に基づいて本発明の作用を示して簡単に説明する。
【００１９】
本発明は、生地７と生地７とを縫い合わせた縫合部１から水や風等が侵入してこないように、縫合部１に沿って目止めテープ２を接着している。
【００２０】
本発明の縫合部１に接着している目止めテープ２は、幅方向端縁部に長さ方向に頂部３と谷部４とが交互に連続した凹凸縁部５を設けた目止めテープ２を用いている。
【００２１】
この目止めテープ２は、この幅方向端縁部に長さ方向に頂部３と谷部４とが交互に連続した凹凸縁部５を設けたことで、湾曲させ易くなり、また、湾曲させても皺が生じにくくなったので、曲線的に縫合した曲線状縫合部１に対して目止めテープ２を容易に且つきれいに接着することができるようになり、これにより、外観を損ねてしまう生地７の波打ちの発生が可及的に低減され体裁が保たれる。
【００２２】
即ち、本発明に用いる目止めテープ２は、例えば、目止めテープ２の幅方向の両端縁部に凹凸縁部５を設けた場合、湾曲させた際の外側縁となる側の凹凸縁部５の隣接する頂部３同士の間隔を広げ、内側縁となる側の凹凸縁部５の隣接する頂部３同士の間隔を狭めるようにして接着することで、容易にこの目止めテープ２を湾曲させることができ、しかも、頂部３同士の間隔を狭める際、谷部４を設けたことで、頂部３間を狭めたことによるテープ生地のしわ寄せ部分が殆ど生じないので、この目止めテープ２に生じる皺の発生が低減され、この皺の発生が低減されることにより、生地７の波打ちの発生も低減され、外観が損なわれることなく体裁が保たれることとなる。
【００２３】
また、この幅方向端縁部に長さ方向に凹凸縁部５を設けたことにより、目止めテープ２の幅方向端縁部と生地７との接触部分が頂部３のみとなり、従来の目止めテープに比べ生地７との接触部分が分散されるため、擦れによる生地７の劣化や破損が低減し、耐久性が向上する。
【００２４】
このように、本発明は、曲線的に縫合した曲線状縫合部１に対しても、目止めテープ２がこの曲線状縫合部１に沿ってきれいに接着されているから、この目止めテープ２を接着した縫合部１に生地の波打ちの発生が殆ど無く、この生地の波打ちによって外観が損なわれることが無く、しかも、この縫合部１に接着した目止めテープ２の幅方向端縁部と生地７との接触部分が分散されるから、目止めテープ２との擦れによる生地７の劣化や破損が低減され、耐久性も向上する実用性に優れた衣服となる。
【実施例】
【００２５】
本発明の具体的な実施例について図面に基づいて説明する。
【００２６】
本実施例は、図１に示すように、縫合部１を覆うように、生地７の裏面側からこの縫合部１に沿って目止めテープ２を接着して、縫合部１からの水の浸入を防止するように構成した防水衣服である。
【００２７】
具体的には、本実施例は、防水機能を付与した生地７を所定形状に形成（裁断）し、これらの生地７を縫合により連結させた構成としている。
【００２８】
具体的には、生地７は、樹脂フィルムを素材としたもの、或いは、フッ素樹脂等の撥水コーティング加工を施したものを用いている。
【００２９】
また、本実施例の縫合部１に接着した目止めテープ２は、生地７と同様、防水機能を付与した構成としている。
【００３０】
また、本実施例の目止めテープ２は、図２に示すように、幅約２ｃｍの帯状に形成し、幅方向両端縁部に夫々長さ方向に頂部３と谷部４とが交互に連続した凹凸縁部５を設けた構成としている。
【００３１】
具体的には、凹凸縁部５は、山型に形成した頂部３とＶ字状に形成した谷部４とが交互に連続する鋸刃状（ジグザグ状）に形成した構成とし、本実施例では、隣接する頂部３同士の間隔を約５ｍｍに設定し、また、頂部３の高さ（谷部４の深さ）は、２〜３ｍｍに設定している。
【００３２】
また、本実施例では、図２の拡大図に示すように、この凹凸縁部５の頂部３の先端形状を、丸みを帯びた曲線形状（円弧状）に形成した構成としている。
【００３３】
即ち、本実施例は、目止めテープ２の幅方向端縁部を鋸刃状（ジグザグ状）に形成して生地７との擦れ部分を分散させる構成とし、更に、この頂部３先端を鋭角にせず丸みを帯びた形状にすることで、この頂部３先端が生地７に接触した際、生地７との擦れを一層緩和し、擦れによる生地７の劣化や破損を可及的に防止し耐久性の向上を図った構成としている。
【００３４】
また、本実施例の目止めテープ２は、凹凸縁部５の谷部４に、内側へ切り込んだ切り込み部６を設けた構成としている。
【００３５】
具体的には、切り込み部６は、Ｖ字状に形成した谷部４の各底部に設けると共に、内側方向に向かって垂直に設けた構成とし、本実施例では、各底部に、内方に向かって１〜３ｍｍの深さの切込みを入れて、この切り込み部６を形成している。
【００３６】
本実施例は、谷部４に切り込み部６を設けることにより、目止めテープ２を曲線的に縫合した曲線状縫合部１に接着する際に、隣接する頂部３同士の間隔を広げたり狭めたりし易くして目止めテープ２を湾曲させ易しくすると共に、この目止めテープ２を湾曲させた際、目止めテープ２に皺が生じにくくなる構成としている。
【００３７】
また、本実施例の目止めテープ２は、一側面（生地７との重合面）に接着剤を塗布し、この接着剤で接着する構成とし、具体的には、加熱により接着剤を溶融させて接着する加熱接着式に構成している。
【００３８】
このように構成した本実施例の目止めテープ２を縫合部１、具体的には曲線的に縫合した曲線状縫合部１に接着する方法について、以下に説明する。
【００３９】
先ず、図３に示すように、縫合部１を覆うようにして生地７の裏面側に目止めテープ２を接着してゆく。
【００４０】
また、曲線状縫合部１に沿って目止めテープ２を湾曲させる際は、内縁となる幅方向端縁部の隣接する頂部３同士の間隔を狭め、外縁となる幅方向端縁部の隣接する頂部３同士の間隔を広げて目止めテープ２を湾曲させる。
【００４１】
具体的には、図４に示すように、内縁側は切り込み部６を設けた部分を重ね合わせて隣接する頂部３同士の間隔を狭め、外縁側は切り込み部６を拡開させて隣接する頂部３同士の間隔を広げて、目止めテープ２を湾曲状縫合部１に沿って湾曲させながら接着する。
【００４２】
このようにして曲線状縫合部１に目止めテープ２を接着することにより、この接着した目止めテープ２に皺が生じることを低減することができ、この目止めテープ２に皺が生じにくくなることによって、生地７の波打ち、即ちパッカリングの発生を低減することができる。
【００４３】
上述のように構成した本実施例の作用・効果について以下に説明する。
【００４４】
本実施例は、縫合部１に目止めテープ２を接着した構成としたので、縫合部１からの水の浸入が防止でき、優れた防水性を有する防水衣服となる。
【００４５】
また、本実施例は、目止めテープ２の幅方向両端縁部に凹凸縁部５を設けると共に、この凹凸縁部５の谷部４の底部に切り込み部６を設けた構成としたので、曲線的に縫合した曲線状縫合部１に対しても、目止めテープ２がこの曲線状縫合部１に沿ってきれいに接着されているから、この目止めテープ２を接着した縫合部１に生地７の波打ちの発生が殆ど無く、この生地７の波打ちによる外観の悪化が無く、体裁の良い防水衣服となる。
【００４６】
また更に、本実施例は、この縫合部１に接着した目止めテープ２の幅方向端縁部に凹凸縁部５を設けたことにより、目止めテープ２の幅方向端縁部と生地７との接触部分が分散されるので、擦れによる生地の劣化や破損が低減し、更に、本実施例は、この凹凸縁部５の頂部３先端を鋭角にせず丸みを帯びた形状に形成したから、この頂部３先端が生地７に接触した際、生地７との擦れが一層緩和され、擦れによる生地７の劣化や破損が可及的に低減され耐久性に優れた防水衣服となる。
【００４７】
尚、本発明は、本実施例に限られるものではなく、各構成要件の具体的構成は適宜設計し得るものである。
【符号の説明】
【００４８】
１  縫合部
２  目止めテープ
３  頂部
４  谷部
５  凹凸縁部
６  切り込み部
【図１】
2015048548.tif 000003
【図２】
2015048548.tif 000004
【図３】
2015048548.tif 000005
【図４】
2015048548.tif 000006